(57)【要約】【課題】  ヘッド本体のクラウン部に、ヘッド本体より比強度の高い部材を装着すると共にその装着範囲を可能な限り広げ、低重心化等の質量再配分を効果的に図ると共に、耐久性、特に接合部の耐久性を向上させる。【解決手段】  クラウン部の開口部１０Ｋを覆うように繊維強化樹脂プレート状部材１２を配設接合してなるゴルフクラブヘッドであって、ヘッド本体１０はシャフト止着用の孔部１０ＫＢを有する筒状部１０ＴＢをヘッド本体１０内部に具備しており、前記プレート状部材１２は、フェース部側において前記孔部１０ＫＢを取り囲む部分まで一体に延伸されると共に、少なくともバック部側周辺部に屈曲部１２Ｋを介してソール部側に延伸して形成した垂下部１２Ｓの裏面を少なくともサイド部外面に対面させ接合し、ヘッド本体サイド部上端を前記屈曲部１２Ｋからサイド部の間に位置させるよう構成する。【選択図】    図５
2006115927.tif 000002
【特許請求の範囲】
【請求項１】
ソール部、サイド部、ボールを打球するフェース部、及び開口部が形成されたクラウン部とを具備した中空金属製のヘッド本体と、前記開口部を覆うように繊維強化樹脂プレート状部材を配設接合してなるゴルフクラブヘッドであって、前記ヘッド本体はシャフト止着用の孔部を有する筒状部をヘッド本体内部に具備しており、前記プレート状部材は、フェース部側において前記孔部を取り囲む部分まで一体に延伸されると共に、少なくともヘッドのバック側周辺部に屈曲部を介してソール部側に延伸した垂下部を形成し、該垂下部の裏面を少なくともサイド部外面に対面させ接合し、ヘッド本体サイド部上端を前記屈曲部からサイド部の間に位置させたことを特徴とするゴルフクラブヘッド。
【請求項２】
前記サイド部は、ヒール部、バック部及びトウ部を備え、前記垂下部は、バック部を介して、ヒール部側端部及びトウ部側に端部を有すると共に、少なくとも一方の端部は、ソール部側からクラウン部側に架けてフェース部側に位置することを特徴とする請求項１に記載のゴルフクラブヘッド。
【請求項３】
前記サイド部は、ヒール部、バック部及びトウ部を備え、前記垂下部は、バック部を介して、ヒール部側端部及びトウ部側に端部を有すると共に、トウ部側端部からヒール部側端部に行くに従い幅広に形成されていることを特徴とする請求項１または２に記載のゴルフクラブヘッド。
【発明の詳細な説明】
【技術分野】
【０００１】
本発明は、フェアウェイウッド、ユーティリティーを含む中空ヘッドのクラウン部に繊維強化樹脂プレート状部材を設けたゴルフクラブヘッドに関するものである。
【背景技術】
【０００２】
従来、旧来からのゴルフクラブヘッドに代わるゴルフクラブヘッドは、ステンレスやチタン合金やアルミニウム等を主体とする中空金属製であった。金属材料は、比重が大きいために、強度の面からみて、ゴルフクラブヘッドの中空部の体積を増大させて、ゴルフクラブヘッドの全体の慣性モーメントを向上することや低重心化を図る等の重心位置を変化させるための重量余力を設けることには限界がある。
【０００３】
そこで、特許文献１や特許文献２には、ヘッド本体のクラウン部に開口を形成し、この開口部分にクラウン部を構成する繊維強化樹脂プレートを装着したゴルフクラブヘッドが開示させている。このような構成では、繊維強化樹脂プレートは比強度が高いことから、ヘッド本体を軽量化できると共に、低重心化が図れ、ボールのスピンの減少と打出角の増大効果が得られ、飛距離を向上することが可能となる。また、特許文献３には、クラウン部のみならずヘッドの周辺部にまで亘る繊維強化樹脂材を使用し、より高い慣性モーメントのゴルフクラブヘッドが開示されている。
【特許文献１】特開２００３−１１１８７４号
【特許文献２】特開２００３−１９９８４８号
【特許文献３】特開２００３−２４５３８２号
【発明の開示】
【発明が解決しようとする課題】
【０００４】
上記した特許文献１〜３に開示されているゴルフクラブヘッドは、比強度の高い繊維強化樹脂プレートを用いることで、クラウンを撓ませることができ、低重心化が図れるものの、特許文献１においては、クラウン部に形成した、段差状の受け部にプレート状部材を載置した形態であるため、段差の端壁面とプレート状部材縁端面との接合境界部で、剥離やクラックが生じやすく、また、開口部をクラウン部の内方に部分的に形成した構成であるので、重量余力が少ないという問題がある。特許文献２では、ヘッド本体より突出するネック部に近い領域において、接合境界部が形成されているので、ヘッド本体側は撓み剛性が高く撓みにくく、その他のクラウン部領域は撓みやすいという特性の相違や突出するネック部周辺への打球時の応力集中により、剥離やクラックが生じやすく、突出するネック部周辺により重量化し開口形状が制限される問題がある。また、特許文献３では、フェース部側は段差状受け部であり、剥離やクラックが生じやすく、また、段差状受け部よりフェース側のクラウン部（返り部）により重量化するという問題がある。
【０００５】
本発明は、上記した問題に基づいて成されたものであり、ゴルフクラブヘッドのクラウン部に、ヘッド本体より比強度の高い部材を装着すると共にその装着範囲を可能な限り広げ、低重心化等の質量再配分を効果的に図ると共に、耐久性、特に接合部の耐久性を向上させることである。
【課題を解決するための手段】
【０００６】
本発明は、請求項１では、ソール部、サイド部、ボールを打球するフェース部、及び開口部が形成されたクラウン部とを具備した中空金属製のヘッド本体と、前記開口部を覆うように繊維強化樹脂プレート状部材を配設接合してなるゴルフクラブヘッドであって、前記ヘッド本体はシャフト止着用の孔部を有する筒状部をヘッド本体内部に具備しており、前記プレート状部材は、フェース部側において前記孔部を取り囲む部分まで一体に延伸されると共に、少なくともバック部側周辺部に屈曲部を介してソール部側に延伸した垂下部を形成し、該垂下部の裏面を少なくともサイド部外面に対面させ接合し、ヘッド本体サイド部上端を前記屈曲部からサイド部の間に位置させたことを特徴とするゴルフクラブヘッドを提供する。
【０００７】
請求項２では、前記サイド部は、ヒール部、バック部及びトウ部を備え、前記垂下部は、バック部を介して、ヒール部側端部及びトウ部側に端部を有すると共に、少なくとも一方の端部は、ソール部側からクラウン部側に架けてフェース部側に位置することを特徴とする請求項１に記載のゴルフクラブヘッドを提供する。
【０００８】
請求項３では、前記サイド部は、ヒール部、バック部及びトウ部を備え、前記垂下部は、バック部を介して、ヒール部側端部及びトウ部側に端部を有すると共に、トウ部側端部からヒール部側端部に行くに従い幅広に形成されていることを特徴とする請求項１または２に記載のゴルフクラブヘッドを提供する。
【発明の効果】
【０００９】
本発明によれば、ヘッド本体のクラウン部に、ヘッド本体より比強度の高い部材を装着すると共にその装着範囲を可能な限り広げ、低重心化等の重量再配分を効果的に図ると共に、耐久性、特に接合部の耐久性を向上させることができる。
【発明を実施するための最良の形態】
【００１０】
以下、本発明を図面を用いて詳細に説明する。図１は本発明に係るゴルフクラブヘッドの正面図、図２はヒール側から見た側面図、図３はトウ側から見た側面図、図４はヘッドの組み立て前の分解図であり、平面図である。図５は図１の矢視線Ａ−Ａによる断面図、図６は図２の矢視線Ｂ−Ｂによる断面図である。ステンレスやチタン合金やアルミニウム等を主体とする金属製のヘッド本体１０は、正面のフェース部１０Ｆと、ヒール部１０Ｈと、トウ部１０Ｔとバック部１０Ｂと、ソール部１０Ｓとを有している。
【００１１】
フェース部Ｆには反発性の高いチタン合金等の金属のフェースプレートＦが接合されている。本願では、ヒール部１０Ｈとトウ部１０Ｔとバック部１０Ｂとをサイド部と表現することがある。
【００１２】
また、クラウン部から内部を通ってソール部にまで亘って、シャフトＳ止着用の筒状部１０ＴＢが形成されている。本願での筒状部は、この例のようにクラウン部からソール部に亘っている形態以外に、ソール部にまで達していない有底の形態がある。ヘッド内部の領域がソール部にまで達しているか否かに係わらず、クラウン部から外側にパイプ状に大きく突出した形態は除外している。しかし、クラウン部から多少外側に隆起したような形状は、勿論、発明の範囲内である。また、クラウン部から外側にパイプ状に大きく突出した形態であっても、後から筒状部やソケットをシャフト止着用の筒状部の内側に接着する場合は、勿論、発明の範囲内である。
【００１３】
図４に示すように、クラウン部には、前記筒状部１０ＴＢの孔１０ＴＨの近くにまで至る開口部１０Ｋが設けられており、開口部のフェース側周囲には、後述のプレート状部材１２を載置する受け部１０Ｕが形成されている。この受け部の幅は、孔部周辺を除いて、凡そであるが１０ｍｍ程度（５〜２０ｍｍ）の幅であり、プレート状部材１２を接合一体化させるための必須の糊代を残しているのであるが、開口部としては可及的に大きな開口とすることができるといえる。
【００１４】
また、バック部１０Ｂを含んでトウ部１０Ｔの一部からヒール部１０Ｈの一部にまで亘るサイド部領域ＳＲには、図５に現れるような段差部ＤＢが形成されている。即ち、サイド部領域ＳＲの一部である上方部ＳＲＤがフェース側に窪むように段差になっている。
【００１５】
一方、プレート状部材１２は、ゴルフクラブヘッド１のクラウン部領域となるプレートクラウン部１２Ｃを有し、該クラウン部の周囲の一部（前記サイド部領域ＳＲに対応する範囲）には、プレートクラウン部１２Ｃの平均曲率より大きな曲率の屈曲部１２Ｋを介してソール部１０Ｓ側に延伸した垂下部１２Ｓを形成している。この板状垂下部１２Ｓの裏面を、前記上方部ＳＲＤの外側面に対面させるようにし、間に接着剤を介在させて接合させる。この組み立て状体のゴルフクラブヘッドでは、前記サイド部領域ＳＲ（上方部ＳＤＲ）の上端がプレート状部材１２の屈曲部１２Ｋの部位に位置している。
【００１６】
既述のように、図５や図６の断面図からも分かるが、プレート状部材１２のプレートクラウン部１２Ｃとヘッド本体１０との間には、プレートクラウン部１２Ｃの全周に亘って、お互いの端面を突き合わせた段差状端面接合部は存在しておらす、単に、プレートクラウン部１２Ｃの周辺裏面をヘッド本体（の受け部１０Ｕ）に載置した接着接合形態とすることができる。
【００１７】
この場合の載置接着面積は、プレート状部材１２の端面広さ（プレートの厚さ）と比較しても相当に広いので接合強度は強く、プレート状部材の撓み剛性に比べて、十分な接着強度を得るのに必要とする接着面積が得られるため、この接合境界は、元々、クラックは入り難い。従って、プレート状部材１２を接合したゴルフクラブヘッドは、打撃による剥離やクラックが生じ難く、勿論、特に撓み剛性の高い筒状部１０ＴＢ（の孔１０ＴＨ）の近隣領域に剥離やクラックが生じることも防止される。
【００１８】
また、クラウン部のバック部側において、プレート状部材１２の垂下部１２Ｓとヘッド本体のサイド部領域ＳＲとで接合しているので、打球時において、接合面（クラウン面）方向への負荷が生じにくく、剥離やクラックが発生しにくくなると共に、段差部はフェース部から離間して形成でき、衝撃による負荷が小さいので、剥離やクラックが防止できる。また、ヘッド本体サイド部上端をプレート状部材の屈曲部からサイド部の間に位置させたので、開口を広くでき、クラウン部の軽量化により、低重心化等の重量再配分が可能となる。
【００１９】
また、屈曲部１２Ｋはプレートクラウン部１２Ｃと垂下部１２Ｓとの交差する立体的形状部故、打撃時に受ける変形が小さい。ヘッド本体１０のサイド部領域ＳＲ上端がこの屈曲部１２Ｋに位置していると、接合領域の端部位置がこの屈曲部となり、このため垂下部１２Ｓと上方部ＳＲＤと互いに離間させる作用を小さくでき、接合の剥離が防止できるが、サイド部領域上端は、屈曲部よりソール側に形成されていても良い。
【００２０】
また、プレート状部材１２には、ヘッド本体１０に配設接合した際に、シャフトＳを挿通するヘッド本体１０の孔部１０ＴＨに対応した貫通孔１２Ａが形成されており、ヘッド１形成時には、この貫通孔により、打球時等により生じるクラウン面方向の負荷に対する耐久性が向上する。
【００２１】
本実施形態例のように、クラウン部に形成される開口部が可及的に大きく、また、受け部の幅も接合に必要な程度の大きさとし、従来の金属によるクラウン部を、より軽量な繊維強化樹脂プレート状部材１２で置換すると、クラウン部領域が軽量になり、低重心化等の重量再配分が容易にできる、また、段差状の端面接合部をクラウン部に有さず、接合部の耐久性を向上させることができる。
【００２２】
本実施形態例においては、ゴルフクラブヘッド１のヘッド長さＬは、所定のライ角θ及びロフト角にセットした状態を正面視して、トウ部先端からヒール部先端までの水平距離とし、ヘッド高さＨは、ソール部が水平面Ｘ１と接する点Ｑからヘッドの最高点Ｐまでの垂直距離としている（図１参照）。また、ヘッド幅Ｗは、前記状態のゴルフクラブヘッド１をヒール部側から側面視して、フェース部下端Ｃからバック部側サイド部後端までの距離としている（図２参照）。なお、本実施形態例では、フェース下端Ｃは、フェースセンタラインＭ上に設定されている。
【００２３】
而して、前記の如くヘッドをセットした状態において、図２に示すように、ヒール部側の垂下部１２Ｓの端部１２Ｈは、その端部の位置するサイド部の高さＨ１の１／２より低い位置としているので、接着面積が大きくでき、打球時の負荷の大きいシャフト止着用の筒状部ＴＢに近い領域でも剥離やクラックが防止できる。また、バック部側からその端部まで漸次幅広に形成されているので、応力集中が防止でき、効率的に接合部が形成でき、低重心化等の重量再配分が効果的に図ることができる。
【００２４】
図３に示すように、垂下部１２Ｓのトウ部側の端部１２Ｔは、その端部の位置するサイド部の高さＨ２の１／２より高い位置とし、その幅は、漸次幅狭に形成しているので、垂下部１２Ｓの応力集中が防止でき、効率的に接合部が形成でき、低重心化等の重量再配分が効果的に図ることができる。
【００２５】
図４に示すように、垂下部１２Ｓとサイド部領域ＳＲとで形成される接合部は、ヘッド幅Ｗの１／２よりバック側に形成されていると、ボールをトウ側やヒール側で打球した場合でも、剥離やクラックが生じにくくなる。好ましくは、２／３を占める幅よりバック側に形成されていると良く、金属的な打球音が得られやすくなり、打感が向上する。
【００２６】
また、ヘッド長さＬの１／３より長く形成されていると、プレート状部材１２のクラウン面方向への耐久性が向上し剥離が防止できる。好ましくは、２／３より長く形成されると、安定して耐久性を向上でき、打点の定まらない初級者には効果的である。
【００２７】
また、垂下部１２Ｓのトウ側端部１２Ｔ及びヒール側端部１２Ｈは、ソール部側からクラウン部側に架けてフェース部側に位置するように傾斜状に形成されている。これにより、端部位置の屈曲部１２Ｋへの応力集中を緩和し、剥離やクラックが防止できると共に、接着面積を確保しつつ、開口部１０Ｋの面積を大きくできる。
【００２８】
図７及び図８は、繊維強化樹脂製プレート状部材の積層構造例の説明図である。図９に示すように、先ず２枚のプリプレグＰ１、Ｐ２を１組又は２組以上重ね合わせる。プリプレグＰ１、Ｐ２は、クラウン部となる領域である、プレートクラウン部１２Ｃでは、その炭素繊維等の強化繊維が概ねフェース面に対して４５度方向又は−４５度方向に指向した一方向引き揃えシートである。また、垂下部１２Ｓに対応する領域は、プリプレグ上では放射状に、垂下部となった際にはソール、クラウン方向（上下方向）に指向する方向に切れ目ＰＣを適宜間隔で設けている。従って、プレートクラウン部１２Ｃに対して、折り曲げてもプリプレグに皺が寄りにくい。
【００２９】
また、垂下部１２Ｓにも、１対のプリプレグＰ１、Ｐ２の存在によって強化繊維を有するが、前記切れ目ＰＣの存在等により、強度が安定しないので、最外層に、垂下部の幅を有し、強化繊維方向が互いに直交する織布状のテープ状プリプレグＰ３を配設する。この場合、強化繊維が上下方向とゴルフクラブヘッドの周囲方向（屈曲部の１２Ｋのラインに沿った方向）とに指向するようにする。特にこのプリプレグＰ３の存在により、垂下部１２Ｓの強度と曲げ剛性を向上させ安定させることができる。これによって、接着面への応力集中を防止して、剥離やクラックを生じにくくすることができる。
【００３０】
また、クラウン部の最外層や垂下部には装飾や補強のため、織布状シート等を形成しても良い。特に、使用する強化繊維に伸びの大きいガラス繊維を用いることで、剥離やクラックが防止できる。
【産業上の利用可能性】
【００３１】
本発明は、フェアウェイウッド、ユーティリティーを含む中空ゴルフクラブヘッドに利用できる。
【図面の簡単な説明】
【００３２】
【図１】図１は本発明に係るゴルフクラブヘッドの正面図である。
【図２】図２はヒール側から見た側面図である。
【図３】図３はトウ側から見た側面図である。
【図４】図４はヘッドの組み立て前の分解図であり、平面図である。
【図５】図５は図１の矢視線Ａ−Ａによる断面図である。
【図６】図６は図２の矢視線Ｂ−Ｂによる断面図である。
【図７】図７は繊維強化樹脂製プレート状部材の積層構造例の説明図である。
【図８】図８は図７のプレート状部材を製造する各プリプレグシートの平面図である。
【符号の説明】
【００３３】
１０      ヘッド本体
１０Ｋ    開口部
１０ＴＢ  筒状部
１０ＫＢ  孔部
１２      プレート状部材
１２Ｋ    屈曲部
１２Ｓ    垂下部
ＳＲ      サイド部領域
ＳＪ      シャフト軸線
【図１】
2006115927.tif 000003
【図２】
2006115927.tif 000004
【図３】
2006115927.tif 000005
【図４】
2006115927.tif 000006
【図５】
2006115927.tif 000007
【図６】
2006115927.tif 000008
【図７】
2006115927.tif 000009
【図８】
2006115927.tif 000010